(57)【要約】【課題】夏休みに子供と夜の危険な山野に出かけることなく、夜行性である、カブト虫を日中の山野で、たくさん採取出来るようにした。安全な昆虫採取を提供する。【解決手段】図８、１本体に２主要部品を取付け、図２、図８、１本体に５誘因液を入れナラ、くり、くぬぎ等の図１１、１１樹木の樹冠部の枝等に紐で吊し、カブト虫を２主要部品▲２▼落とし穴から１本体に誘い入れる。入ったカブト虫は、中から出ようとして羽ばたいても自分の羽が直径４０ｍｍの▲２▼落とし穴より長いため、▲２▼落とし穴から出られなくなり本発明の中に入ったままでいる。これを早朝に採取する。【選択図】図８
2010104353.tif 000002
【特許請求の範囲】
【請求項１】
図５図６、の２主要部品に構造が類似しないこと
【請求項２】
２主要部品の▲２▼落とし穴の直径が２０ｍｍ以上でないこと
【請求項３】
カブト虫を捕獲する目的の捕獲器には、本発明以外は図１２、で紹介した誘因液及び、砂糖、水飴。酒、焼酎以外の酒類を使用しないこと。
【請求項４】
１本体及び２主要部品が透明でないこと
【請求項５】
図１、１本体と思われる部品に２主要部品の▲２▼落とし穴に類似した、カブト虫の捕獲を目的とした設備がないこと。
【発明の詳細な説明】
【技術分野】
【０００１】  本発明は、山野に生息している成虫のカブト虫、捕獲方法に関するものである。
【背景技術】
【０００２】  従来、成虫のカブト虫を捕獲器で捕獲する方法はなかった【０００３】
【特許文献１】  登録実用新案第３１１７００２号（特許電子図書館）
【０００４】
【非特許文献１】  クワガタ捕獲器（インターネット検索）
【発明の開示】
【発明が解決しようとする課題】
【０００５】カブト虫の捕獲方法では、一般的なものとして、袋状に作成した目の細かい網等にスイカ、バナナ等の果物等を入れ酒等をまぶしたものを仕掛として、カブト虫がいそうな森等のナラの木、くり、くぬぎ等の樹木の幹にぶら下げておき夜行性であるカブト虫の活動時間を見計らい仕掛けに集まっているところを虫取り網や素手で捕獲するものである。また樹木の幹等から発酵した樹液が出ているところでは、カブト虫が集まっていることがあるので採取できる。前記の仕掛けでは明るいうちに仕掛けておき夜、採取するものだが山野での夜行は毒蛇、毒虫等がおり危険が伴うものである。また、仕掛けをこのまま朝まで置くと、せっかく集まっているカブト虫たちはどこかへ飛んでいってしまうか、カラス等の野鳥に捕食される。樹液に集まるカブト虫の採取では、樹液を出している木を見つけだすことから始めるが、まず見つからない。せっかく見つけても樹液そのものがカブト虫が好む成分を含む発酵でないと集まらない。また、樹液が出ている場所が、手や虫取り網が届く範囲であれば採取できるがそうでなければむずかしい。本発明は、これらの課題を解消し、カブト虫の採取を容易なものにした。
【課題を解決するための手段】
【０００６】カブト虫は一般に、夜行性で、なら、くり、くぬぎ等の高木広葉樹林に多く生息しており夜、樹冠部付近を飛び回っている。本発明は、樹冠部付近を飛び回っているカブト虫、を捕獲するものである。本発明の中に誘因液である図１２、５を入れ晴天の日、一昼夜樹冠部の枝等に紐等でつり下げておき、次の日の早朝に採取する。樹冠部の枝等につり下げるには、図１１、８長さ１．５ｍ程度の投げ竿に糸巻き器である図１１、１２スピニングリールに図１１、９投げ釣り用テグス４号〜５号を巻いたものを使用し、テグスの先に図１１、１０１５号のおもりを取付け樹冠部に向けて投入する。図１１、（参照）枝等に掛かり、おもりが降りてきたら、おもりをはずし吊りさげるための紐図１１、７をその先に結びスピニングリールでテグスを巻き取る、紐７を枝等に通したら紐７の先を本発明のフックに結び、つり下げる。図１１、（参照）夜、誘因液で誘われたカブト虫は図５の部品２の中央にある▲２▼穴から本体の中に入る。中に入ると底部まで落ちるので底部から出るには、入ってきた▲２▼穴からでないと出られないが、出ようとして羽で羽ばたいても部品２の▲２▼穴の形状効果により羽がじゃまになり出られなくなる。また、よじ登ろうとしても爪の引っかかりがないので登れない。中に入ったカブト虫が誘因液で溺れないように図９、３発砲スチロール製のフロートを置いた図２、図８、（参照）。本発明の重量が軽すぎると採取するときに図１１、紐７をはずしても降りてこないことがあるので図１０、４おもりで重量を調整した図２、図８、（参照）。
【発明の効果】
【０００７】本発明を明るい時間帯に設置し、明日早朝には採取出来るものである。本発明を、たくさんいそうな所に数カ所設置することで広範囲に誘因し、一夜で多数のカブト虫、を採取できるようになった。また、カブト虫を大好きな子供をつれて明るい安全な時間帯に採取できるようになった。以下、本発明の実施の形態について説明する。
（イ）図８、で示す１本体に、図５、図６、に示す２主用部品を本体上部にはめ込む。１本体と２主用部品の材質は透明プラスチック製等がよい、その理由は生物には仲間が餌場に集まると、さらに他からその場へ集まるという習性があり透明にして、このことを利用するためである。このことは独学と経験からによるものである。
（ロ）図１２、ジュース等のペットボトル６、１本を１０として、▲４▼蜂蜜２、▲５▼酢２、▲６▼酒３、▲７▼焼酎２、▲８▼みりん１、を入れよく振り混ぜる。これが５誘因液である。
（ハ）図２、図８、で示す５誘因液に図８、で示す３フロートを浮かべる。材質は発砲スチロール製等がよい。
（二）図２、図８、で示す４おもりで枝等に、つり下げられた本発明が採取時に降りてくるように調整する。材料は５誘因液に溶け出す等の影響がないもので全重量５００グラム程度がちょうど良い図１２参照。
（ホ）採取時は図７、２主要部品の脱着用の縁に指をかけて取り外し、中にいるカブト虫を虫かご等に移し採取する図８、（参照）。
【実施例１】
【０００８】
【図面の簡単な説明】
【０００９】
【図１】本発明の正面図である。
【図２】本発明の使用状態を示す断面図である。
【図３】本発明の使用状態を示す上面図である。
【図４】本発明を下から見た図である。
【図５】本発明の主要部品、断面図である。
【図６】本発明の主要部品、上面図である。
【図７】本発明の主要部品、側面図である。
【図８】本発明の主要部品の側面図及、脱着使用状態を示す図である。
【図９】誘因液で溺れないようにするための措置である発泡スチロール製のフロート。
【図１０】吊り下げられた本発明が採取時に降りてくるようにするための、おもりを示す図である。
【図１１】本発明の使用形態を示す図である。
【図１２】誘因液の作り方を示す割合図である。
【符号の説明】
【０００１０】１  本体
２  主用部品
３  フロート
４  おもり
５  誘因液
６  ペットボトル
７  太さ２ｍｍ程度の紐
８  長さ１．５ｍ程度の釣り竿
９  魚釣り用テグス４号
１０  投げ釣り用おもり１５号
１１  １０ｍ以上のナラの木、くぬぎ等の樹木
１２  スピニングリール
１３  フック
▲１▼  脱着用の縁
▲２▼  落とし穴
▲３▼  収納部
▲４▼  蜂蜜
▲５▼  酢
▲６▼  酒
▲７▼  焼酎
▲８▼  みりん
【図１】
2010104353.tif 000003
【図２】
2010104353.tif 000004
【図３】
2010104353.tif 000005
【図４】
2010104353.tif 000006
【図５】
2010104353.tif 000007
【図６】
2010104353.tif 000008
【図７】
2010104353.tif 000009
【図８】
2010104353.tif 000010
【図９】
2010104353.tif 000011
【図１０】
2010104353.tif 000012
【図１１】
2010104353.tif 000013
【図１２】
2010104353.tif 000014